(57)【要約】      （修正有）【課題】アルミ等の金属を使用することなく防湿性及び防臭性を確保できる農薬収容袋を提供する。【解決手段】農薬収容袋は、紙基材１２の内面に湿気及び臭いを遮断する非金属バリア層１４が一体化されて成るシート本体１０と、シート本体１０の内面に設けられ、非金属バリア層１４を保護するための樹脂製の保護層１６とを有する積層構造のシート材２が袋状に成形されて成る。【選択図】図２
0003214860.tif 000002
【実用新案登録請求の範囲】
【請求項１】
紙基材の内面に湿気及び臭いを遮断する非金属バリア層が一体化されて成るシート本体と、
前記シート本体の内面に設けられ、前記非金属バリア層を保護するための樹脂製の保護層と、
を有する積層構造のシート材が袋状に成形されて成ることを特徴とする農薬収容袋。
【請求項２】
前記非金属バリア層は、水蒸気を遮断する機能、保香性を発揮する機能を備えていることを特徴とする請求項１に記載の農薬収容袋。
【請求項３】
前記非金属バリア層は、更に酸素を遮断する機能を備えていることを特徴とする請求項２に記載の農薬収容袋。
【請求項４】
前記保護層は、前記シート本体の前記非金属バリア層上にポリエチレン系又はポリプロピレン系の樹脂をコーティングすることによって形成されることを特徴とする請求項１から３のいずれか１項に記載の農薬収容袋。
【請求項５】
前記シート本体の外表面に紙製又は樹脂製の外層を更に備えることを特徴とする請求項１から４のいずれか一項に記載の農薬収容袋。
【考案の詳細な説明】
【技術分野】
【０００１】
本考案は、例えば、除草剤、防虫剤、肥料など（以下、農薬と総称する）を収容するための農薬収容袋に関する。
【背景技術】
【０００２】
除草剤などの農薬を収容するための農薬収容袋は、従来から様々な形態のものが知られているが、取り扱い性が良い安価な形態としては、袋状にしたものが知られている。通常、このような袋状のものを構成するシート材としては、水蒸気や臭いを遮断する機能を有するバリア層（例えば防湿層や防臭層で構成される）を紙基材の内面に設けたものが一般的である。また、前記防湿層としては、紙基材の内面にアルミ箔をラミネートしたり、紙基材に、アルミを蒸着したフィルムをラミネートすることも一般に行なわれる（例えば、特許文献１参照）。
【先行技術文献】
【特許文献】
【０００３】
【特許文献１】特開２０１０−０４７５４５号公報
【考案の概要】
【考案が解決しようとする課題】
【０００４】
しかしながら、紙基材の内面に防湿層としてアルミを使用する場合には、幾つかの問題が生じる。例えば、農薬収容袋内に所定の農薬以外の金属製の異物が混入しているか否かを確かめるための金属検出器を用いた検査において、金属検出器がアルミに反応してしまい、異物を正確に検出することが難しくなる場合がある。また、農薬収容袋の処分時にアルミと紙基材とを分別しなければならない、或いは、アルミに伴う環境問題も懸念されるなど、廃棄に伴う問題も生じる。
【０００５】
本考案は、上記した問題に着目してなされたものであり、アルミ等の金属を使用することなく防湿性及び防臭性を確保できる農薬収容袋を提供することを目的とする。
【課題を解決するための手段】
【０００６】
上記した目的を達成するために、本考案の農薬収容袋は、紙基材の内面に湿気及び臭いを遮断する非金属バリア層が一体化されて成るシート本体と、前記シート本体の内面に設けられ、前記非金属バリア層を保護するための樹脂製の保護層とを有する積層構造のシート材が袋状に成形されて成ることを特徴とする。
【０００７】
上記した構成の農薬収容袋は、農薬収容袋を構成するシート本体が、紙基材の内面に湿気及び臭いを遮断する非金属バリア層を備えており、この非金属性のバリア層が防湿性及び防臭性を有するため、従来のように紙基材の内面に防湿用のアルミ箔をラミネートしたり、アルミを蒸着したフィルムをラミネートする必要がなくなる。したがって、農薬などを収容した後で、金属検出器を用いた正確な異物混入検査が可能になるとともに、アルミ廃棄に伴う問題も生じない。しかも、シート本体が紙を主体として構成されるため、環境に優しく、加工し易いとともに、多様な原紙を選択して使用することもできる。
【０００８】
また、上記した構成では、非金属バリア層を保護するための樹脂製の保護層が設けられるため、非金属バリア層の脱落や劣化を防止でき、シート本体が保有する防湿性及び防臭性を長期間にわたって維持できるとともに、シート本体同士を溶着して、所定の形状の袋体を容易に成形することが可能となる。
【考案の効果】
【０００９】
本考案によれば、アルミ等の金属を使用することなく防湿性及び防臭性を確保できる農薬収容袋を提供できる。
【図面の簡単な説明】
【００１０】
【図１】本考案の一実施形態に係る農薬収容袋の概略斜視図。
【図２】図１の農薬収容袋の層構造の一例を示す概略断面図。
【図３】図１の農薬収容袋の層構造の他の例を示す概略断面図。
【考案を実施するための形態】
【００１１】
以下、図面を参照して、本考案の一実施形態について説明する。
図１には、本考案の一実施形態に係る農薬収容袋１が示される。
図に示すように、本実施形態の農薬収容袋１は、後述する積層構造を有するシート材（紙製バリア包装材料）２を重ね、その周囲を溶着等することで袋状に成形されている。この場合、農薬収容袋１は、重ねたシート材２の側縁及び底縁を溶着したいわゆる三方袋で構成されていても良いし、図１に示すように、底壁１ｂ及び側壁１ｃを備えたガゼット袋として構成されていても良く、上端に開口部１ａを備えた袋状のものであれば、その形態については特に限定されることはない。
【００１２】
なお、図１に示す農薬収容袋１の底壁１ｂ及び側壁１ｃは、シート材２と同様な素材で構成されており、重ねられるシート材２を折り曲げ加工したり、重ねたシート材２の間に別のシート部材を介在して溶着等することで形成することが可能である。また、図１に示すような形態の農薬収容袋１は、成形時は開口部１ａ部分が未溶着（未接着）となって平板状となっているが、農薬を開口部１ａから収容する際には、図のような展開拡張状態となって、農薬を収容するための収容空間Ｓを内側に形成する。
【００１３】
上述したように、収容空間Ｓ内に収容される農薬としては、例えば、除草剤、
防虫剤、肥料などを挙げることができ、これらは粉体状であっても良いし、粒状体であっても良い。
【００１４】
上記した開口部１ａは、収容空間Ｓ内に所定の農薬が収容された後、例えば折り曲げたり、溶着、接着したり、別途、封止部材（紐、テープ等）を取着などすることで封止される。
【００１５】
図２に示されるように、農薬収容袋１を構成する積層構造のシート材２は、紙基材１２の内面に湿気及び臭いを遮断する非金属バリア層１４が一体化されて成るシート本体１０と、このシート本体１０の内面に設けられる樹脂製の保護層１６とを有する。この場合、保護層１６は、シート本体１０の非金属バリア層１４上に、樹脂材料、例えば、ポリエチレン系又はポリプロピレン系の樹脂等をラミネートすることによって形成される。この保護層１６は、収容空間Ｓ内に収容される農薬から非金属バリア層１４を保護する機能を備えると共に、製袋時において、シート材同士を熱溶着させる機能を備える。
【００１６】
前記シート本体１０を構成する紙基材１２は、様々な原紙（一般的な植物繊維製のもの等）を用いることができ、非金属バリア層１４の構成材料としては、フレーバーバリア性の効果を備えたＰＶＡ（ポリビニルアルコール）等の材料に、防湿性の効果を備えた、例えばカオリン等の顔料などの材料を用いることができる。この場合、非金属バリア層１４は、紙基材１２に対して、表面に積層して一体化することが可能である。
【００１７】
なお、上記したような機能が発揮されるシート本体１０としては、例えば、日本製紙株式会社の「シールドプラス（登録商標）プレミア」を用いることが可能である。このような素材は、紙基材１２に被着される非金属バリア層１４が、水蒸気を遮断する機能（防湿性）、フレーバーバリア性（防臭性、保香性）を発揮する機能を備えており、更には、そのような機能に加えて、酸素を遮断する機能を備えていることが好ましい。
【００１８】
農薬収容袋１を構成するシート材については、例えば、図３に示すような積層構造を備えていても良い。この例のシート材２Ａは、図２に示される層構造に加え、シート本体１０（紙基材１２）の外表面に、紙製の外層１８を更に備えている。このような外層１８は、シート本体１０の全面に糊付けして重ねて被着したり、シート本体１０に部分的に糊付けして重ねて被着することが可能であり、このような外層１８を有するシート材２Ａによれば、露出側が二重構造となり、図２に示されるシート材２と比べて構造的な強度が増大する。なお、外層１８については、紙基材を破れにくくし、更に、水分が浸透できないように、樹脂等をコーティングしたものであっても良い。
【００１９】
以上説明したように、本実施形態の農薬収容袋１は、シート本体１０が湿気及び臭いを遮断する非金属バリア層１４を備えており、非金属性のバリア層１４が防湿性及び防臭性を有するため、従来のように紙基材１２の内面に防湿用のアルミ箔をラミネートしたり、アルミを蒸着したフィルムをラミネートする必要がなく、したがって、金属検出器を用いた正確な異物混入検査が可能であるとともに、アルミ廃棄に伴う問題も生じない。しかも、シート本体１０が紙を主体として構成されるため、環境に優しく、加工し易いとともに、多様な原紙を選択して使用できる。
【００２０】
また、本実施形態によれば、非金属バリア層１４を保護するための樹脂製の保護層１６が設けられるため、非金属バリア層１４の脱落や劣化を防止でき、シート本体１０が保有する防湿性及び防臭性を長期間にわたって維持できる。
【００２１】
なお、本考案は、前述した実施形態に限定されず、その要旨を逸脱しない範囲で種々変形して実施できる。例えば、シート本体や保護層を構成する層の数、或いは、シート材を構成する層の数は任意に設定できる。また、シート本体が防湿性及び防臭性以外の機能を兼ね備えても構わない。
【符号の説明】
【００２２】
１  農薬収容袋
２  シート材
１２  紙基材
１４  非金属バリア層
１６  保護層
１８  外層
【図１】
0003214860.tif 000003
【図２】
0003214860.tif 000004
【図３】
0003214860.tif 000005